(57)【要約】【課題】入力ボタンに対応する入力情報又は機能を表示部に拡大表示することができる携帯電話装置及び携帯電話装置の制御方法を提供する。【解決手段】ユーザが所定の入力部４４の接触検知センサ５６に接触したときには、制御回路３６によりディスプレイ４２が制御されて、入力部４４を押下することにより入力することができる入力情報又は入力ボタンを押下することにより利用可能となる機能を示す機能情報がディスプレイ４２に拡大表示される。これにより、たとえば、高齢者や近視のユーザにとっても、所定の入力部４４の表面に接触するだけで、その入力部４４により入力することができる入力情報や利用することができる機能を容易に認識することができる。【選択図】      図１
2014206991.tif 000002
【特許請求の範囲】
【請求項１】
文字を入力するための複数の入力部と、
前記複数の入力部に対する接触を検知する接触検知部と、
前記複数の入力部により入力された文字を表示する表示部と、
前記接触検知部が前記複数の入力部のうち所定の入力部に対する接触を検知したときに、前記所定の入力部に対応する文字を前記表示部に表示させる制御部と、
を含む携帯電話装置であって、
前記所定の入力部への接触が検知されて前記所定の入力部に対応する第一の文字が表示された後、前記所定の入力部により入力が行われると、前記第一の文字が消え、前記第一の文字と同じ文字である第二の文字が表示され、
前記第一の文字は、前記第二の文字よりも大きく表示される、携帯電話装置。
【請求項２】
前記接触検知部は、静電容量の変化にもとづいて接触を検知する、請求項１に記載の携帯電話装置。
【発明の詳細な説明】
【技術分野】
【０００１】
本発明は、携帯電話装置に関し、特に操作部表面に接触検知センサが設けられた携帯電話装置に関する。
【背景技術】
【０００２】
従来の携帯電話装置には、テンキーなどの各入力ボタンの表面に接触検知センサをそれぞれ設け、ユーザがこの接触検知センサに接触することにより、入力ボタンを押下することなく、その接触した入力ボタンに該当する入力情報をディスプレイにそのまま入力することができるものが知られている（下記特許文献１参照）。
【先行技術文献】
【特許文献】
【０００３】
【特許文献１】特開２００１−３３３１６６号公報
【発明の概要】
【発明が解決しようとする課題】
【０００４】
ところで、従来の携帯電話装置の入力ボタンの表面には、その入力ボタンを押下することにより、表示部に入力表示することができる文字、数字、アルファベットなどの入力情報が明記されているが、入力ボタン自体の大きさが限定されているため、特に、高齢のユーザや近視のユーザなどにとっては、入力ボタンの表面に明記された入力情報が見難いという問題がある。このため、入力する入力情報が対応する入力ボタンが判別できず、使い難いという問題が生じる。このことは、入力ボタンの入力情報だけでなく、入力ボタンを押下することにより利用可能となる機能についても同様である。
そこで、本発明は、上記事情を考慮し、入力ボタンに対応する入力情報又は機能を表示部に拡大表示することができる携帯電話装置及び携帯電話装置の制御方法を提供することを目的とする。
【課題を解決するための手段】
【０００５】
請求項１に記載の発明は、複数の入力ボタンと、複数の前記入力ボタンの表面にそれぞれ設けられ前記入力ボタンに対するユーザの接触を検知する接触検知センサと、所定の情報を表示する表示部と、所定の前記入力ボタンの前記接触検知センサに接触したときに前記入力ボタンを押下することにより入力することができる入力情報又は前記入力ボタンを押下することにより利用可能となる機能を示す機能情報を前記表示部に拡大表示させる制御部と、を含んで構成されたことを特徴とする。
【０００６】
請求項１に記載の発明によれば、本発明によれば、ユーザが所定の入力ボタンの接触検知センサに接触したときには、制御部により表示部が制御されて、入力ボタンを押下することにより入力することができる入力情報又は入力ボタンを押下することにより利用可能となる機能を示す機能情報が表示部に拡大表示される。これにより、たとえば、高齢者や近視のユーザにとっても、所定の入力ボタンの表面に接触するだけで、その入力ボタンにより入力することができる入力情報や利用することができる機能を容易に認識することができる。特に、夜などに携帯電話装置を使用する場合にも、表示部に入力情報や機能情報が拡大表示されるため、容易に認識することができる。
【０００７】
なお、本明細書において「拡大表示」とは、入力ボタンにより入力したときに表示部に表示される入力情報や機能情報の通常の大きさよりも大きく表示されることを意味する。
【０００８】
請求項２に記載の発明は、請求項１に記載の携帯電話装置において、前記入力情報又は前記機能情報が前記表示部に拡大表示された状態で前記入力ボタンを押下することにより、拡大表示された前記入力情報又は前記機能情報が通常表示に変更表示されることを特徴とする。
【０００９】
請求項２に記載の発明によれば、入力情報又は機能情報が表示部に拡大表示された状態で入力ボタンを押下することにより、拡大表示された入力情報又は機能情報が通常表示に変更表示される。これにより、表示部に表示された入力情報又は機能情報の拡大表示を容易に解除することができる。
【００１０】
なお、本明細書において「通常表示」とは、入力ボタンにより入力したときに入力情報や機能情報が通常の大きさで表示部に表示されることを意味し、「拡大表示」に対する程度の差を示すために用いた表現である。
【００１１】
請求項３に記載の発明は、請求項１又は２に記載の携帯電話装置において、単一の前記入力ボタンにより入力することができる前記入力情報又は前記機能情報が複数存在する場合には、前記入力情報又は前記機能情報は、前記入力ボタンが押下されることにより最初に前記表示部に表示される前記入力情報又は前記機能情報であることを特徴とする。
【００１２】
請求項３に記載の発明によれば、単一の入力ボタンにより入力することができる入力情報や機能情報が複数存在する場合には、入力情報又は機能情報は、入力ボタンが押下されることにより最初に表示部に表示される入力情報又は機能情報となる。これにより、例えば、「あ行」の文字情報を入力することができる入力ボタンの場合には、「あ」を表示部に拡大表示させることができ、その入力ボタンによりどの文字を入力することができるかをユーザに容易に認識させることができる。
【００１３】
請求項４に記載の発明は、請求項１又は２に記載の携帯電話装置において、前記機能情報は、当該機能情報を示す所定のマークであることを特徴とする。
【００１４】
請求項４に記載の発明によれば、機能情報は、この機能情報を示す所定のマークであることにより、このマークが表示部に拡大表示される。これにより、ユーザが拡大表示されたマークを視認することにより、その入力ボタンを押下することによって利用できる機能を容易に認識することができる。
【００１５】
請求項５に記載の発明は、複数の入力ボタンと、複数の前記入力ボタンの表面にそれぞれ設けられ前記入力ボタンに対するユーザの接触を検知する接触検知センサと、を有する携帯電話装置の制御方法であって、所定の前記入力ボタンの前記接触検知センサに接触したときに前記入力ボタンを押下することにより入力することができる入力情報又は前記入力ボタンを押下することにより利用可能となる機能を示す機能情報が制御部により表示部に拡大表示されることを特徴とする。
【００１６】
請求項５に記載の発明によれば、ユーザが所定の入力ボタンの接触検知センサに接触したときには、制御部により表示部が制御されて、入力ボタンを押下することにより入力することができる入力情報又は入力ボタンを押下することにより利用可能となる機能を示す機能情報が表示部に拡大表示される。これにより、たとえば、高齢者や近視のユーザにとっても、所定の入力ボタンの表面に接触するだけで、その入力ボタンにより入力することができる入力情報や利用することができる機能を容易に認識することができる。特に、夜などに携帯電話装置を使用する場合にも、表示部に入力情報や機能情報が拡大表示されるため、容易に認識することができる。
【００１７】
請求項６に記載の発明は、請求項５に記載の携帯電話装置の制御方法において、前記入力情報又は前記機能情報が前記表示部に拡大表示された状態で前記入力ボタンを押下することにより、拡大表示された前記入力情報又は前記機能情報が通常表示に変更表示されることを特徴とする。
【００１８】
請求項６に記載の発明によれば、入力情報又は機能情報が表示部に拡大表示された状態で入力ボタンを押下することにより、拡大表示された入力情報又は機能情報が通常表示に変更表示される。これにより、表示部に表示された入力情報又は機能情報の拡大表示を容易に解除することができる。
【００１９】
請求項７に記載の発明は、請求項５又は６に記載の携帯電話装置の制御方法において、単一の前記入力ボタンにより入力することができる前記入力情報又は前記機能情報が複数存在する場合には、前記入力情報又は前記機能情報は、前記入力ボタンが押下されることにより最初に前記表示部に表示される前記入力情報又は前記機能情報であることを特徴とする。
【００２０】
請求項７に記載の発明によれば、単一の入力ボタンにより入力することができる入力情報や機能情報が複数存在する場合には、入力情報又は機能情報は、入力ボタンが押下されることにより最初に表示部に表示される入力情報又は機能情報となる。これにより、例えば、「あ行」の文字情報を入力することができる入力ボタンの場合には、「あ」を表示部に拡大表示させることができ、その入力ボタンによりどの文字を入力することができるかをユーザに容易に認識させることができる。
【００２１】
請求項８に記載の発明は、請求項５又は６に記載の携帯電話装置の制御方法において、前記機能情報は、当該機能情報を示す所定のマークであることを特徴とする。
【００２２】
請求項８に記載の発明によれば、機能情報はこの機能情報を示す所定のマークであることにより、このマークが表示部に拡大表示される。これにより、ユーザが拡大表示されたマークを視認することにより、その入力ボタンを押下することによって利用できる機能を容易に認識することができる。
【発明の効果】
【００２３】
本発明によれば、入力ボタンに対応する入力情報又は機能情報を表示部に拡大表示することができる。
【図面の簡単な説明】
【００２４】
【図１】本発明の一実施形態に係る携帯電話装置のブロック図である。
【図２】本発明の一実施形態に係る携帯電話装置の要部の概念図である。
【図３】（Ａ）は本発明の一実施形態に係る携帯電話装置の表示部に文字が拡大表示された図であり、（Ｂ）はその文字が通常表示に変更された図である。
【図４】（Ａ）は本発明の一実施形態に係る携帯電話装置の表示部に数字が拡大表示された図であり、（Ｂ）はその数字が通常表示に変更された図である。
【図５】本発明の一実施形態に係る携帯電話装置の表示部に機能情報（マーク）が拡大表示された図である。
【図６】本発明の一実施形態に係る携帯電話装置の制御方法を示すフローチャートである。
【発明を実施するための形態】
【００２５】
次に、本発明の一実施形態に係る携帯電話装置について、図面を参照して説明する。
図１に示すように、携帯電話装置１０は、アンテナ１６と接続された通信部１２を備え
ている。この通信部１２は、後述のベースバンド部１４からの信号をアンテナ１６を介して基地局へ発信し、あるいはアンテナ１６を介して基地局からの電波を受信する。
【００２６】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２７】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２８】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２９】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００３０】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００３１】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００３２】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、カーソルを所定の方向に移動させるカーソルキー５５と、を有している。また、ここで、図２に示すように、テンキー４８、通話機キー５０（図２では図示省略）及び機能キー５４（図２では図示省略）の表面には、ユーザが接触したことを検知する接触検知センサ５６がそれぞれ設けられている。この接触検知センサ５６は、従来から知られているものであり、例えば、透明電極等が用いられている。この接触検知センサ５６は、回路基板（入力信号生成部）５８を介して制御回路３６と電気的に接続されている。この回路基板５８は、各キー４８、５０、５４に対応した入力信号を制御回路３６にそれぞれ別々に入力することができるように、テンキー４８と同じ個数（本実施形態では１２本）の回路基板上でパターン形成された信号
送信部６０を介して、各テンキー４８が制御回路３６と接続されている。これにより、通常情報入力モードにおいて、ユーザが所定のキー４８、５０、５４に接触すると、その接触したキー４８、５０、５４の磁力の変化に基づいて回路基板５８の信号送信部６０から所定の入力信号が出力され、この入力信号が制御回路３６に入力される。制御回路３６に所定の入力信号が入力されると、その入力信号に応じたキー４８、５０、５４に対応する文字（数字）などをディスプレイ４２に表示させる。このように、ユーザが各キー４８、５０、５４を押下しなくても、各キー４８、５０、５４に接触するだけで所定の文字（数字）などをディスプレイ４２に表示させることができる。
【００３３】
また、制御回路３６には、所定の色のＬＥＤ素子を備えた照明部４６が接続されている。照明部４６のＬＥＤ素子の発光により、ディスプレイ（表示部）４２が所定の色に施される。
【００３４】
また、制御回路３６には、制御回路３６の動作に必要な所定の情報が記憶されているＲＡＭ４０が接続されている。
【００３５】
ここで、ＲＡＭ４０には、ユーザが所定のキー４８、５０、５４の表面に設けられている接触検知センサ５６に接触したときにその接触したキー４８、５０、５４に対応する入力情報をディスプレイ４２に拡大表示させるプログラムが記憶されている。このプログラムに基づいて制御回路３６は、ディスプレイ４２を制御する。具体的には、所定のキー４８、５０、５４に接触すると、回路基板５８からそのテンキー４８に対応する入力信号が信号送信部６０から制御回路３６に入力されて、制御回路３６がそのキー４８、５０、５４に接触されたと判断する。そして、ディスプレイ４２を制御してそのキー４８、５０、５４に対応する文字、数字、あるいはアルファベットをディスプレイ４２に拡大表示させる。ここで、１つのキー４８、５０、５４により複数の入力情報を入力することができる場合には、最初の文字情報のみがディスプレイ４２に拡大表示される。
【００３６】
例えば、文字入力モードにおいて、「あ」に対応するテンキー４８にユーザが接触すると、図３（Ａ）に示すように、「あ」が拡大表示される。そして、拡大表示された状態で、ユーザが接触した「あ」に対応するテンキー４８を押下すると、図３（Ｂ）に示すように、「あ」の拡大表示が通常表示に変更される。また、数字入力モードにおいて、「２」に対応するテンキー４８にユーザが接触すると、図４（Ａ）に示すように、「２」が拡大表示される。そして、拡大表示された状態で、ユーザが接触した「２」に対応するテンキー４８を押下すると、図４（Ｂ）に示すように、「２」の拡大表示が通常表示に変更される。さらに、通話キー５０にユーザが接触すると、図５に示すように、通話キー５０の機能を示すマークが拡大表示される。なお、図示は省略するが、アルファベット入力モードにおいて、「ＡＢＣ」に対応するテンキー４８にユーザが接触すると、「Ａ」が拡大表示される。そして、拡大表示された状態で、ユーザが接触した「Ａ」に対応するテンキー４８を押下すると、「Ａ」の拡大表示が通常表示に変更される。
【００３７】
また、最初の文字が通常表示された後は、そのキー４８、５０、５４を繰り返し押していくことにより後続する文字をディスプレイ４２に順次通常表示にて表示させることができる。さらに、最初のアルファベットが通常表示された後は、そのキー４８、５０、５４を繰り返し押していくことにより後続するアルファベットをディスプレイ４２に順次通常表示にて表示させることができる。
【００３８】
次に、本実施形態に係る携帯電話装置１０の制御方法について図６に示すフローチャートに基づいて説明する。
【００３９】
図６に示すように、ユーザが所定のキー４８、５０、５４の表面に設けられている接触
検知センサ５６に接触したか否かが制御回路３６により判断される（Ｓ１００）。ユーザが所定のキー４８、５０、５４の表面に設けられている接触検知センサ５６に接触したと制御回路３６により判断されと（Ｓ１００：ＹＥＳ）、その接触されたキー４８、５０、５４により入力することができる入力情報がディスプレイ４２に拡大表示される（Ｓ１１０）。そして、接触されたキー４８、５０、５４が押下されたか否かが制御回路３６により判断される（Ｓ１２０）。接触されたキー４８、５０、５４が押下されたと制御回路３６により判断されると（Ｓ１２０：ＹＥＳ）、ディスプレイ４２に拡大表示された入力情報が通常表示に変更される（Ｓ１３０）。
【００４０】
なお、単一のキー４８、５０、５４により複数の入力情報を入力することができる場合には、通常表紙に変更した後、そのキー４８、５０、５４を押下することにより、後続する入力情報をディスプレイ４２に順次通常表示されていく。
【００４１】
以上のように、ユーザが所定のキー４８、５０、５４の各接触検知センサ５６に接触したときには、制御回路３６によりディスプレイ４２が制御されて、そのキー４８、５０、５４を押下することにより入力することができる入力情報又はキー４８、５０、５４を押下することにより利用可能となる機能を示す機能情報がディスプレイ４２に拡大表示される。これにより、たとえば、高齢者や近視のユーザにとっても、所定のキー４８、５０、５４の表面に接触するだけで、そのキー４８、５０、５４により入力することができる入力情報や利用することができる機能を容易に認識することができる。特に、夜などに携帯電話装置１０を使用する場合にも、ディスプレイ４２に入力情報や機能情報が拡大表示されるため、容易に認識することができる。
【００４２】
特に、入力情報又は機能情報がディスプレイ４２に拡大表示された状態で所定のキー４８、５０、５４を押下することにより、拡大表示された入力情報又は機能情報が通常表示に変更表示される。これにより、ディスプレイ４２に表示された入力情報又は機能情報の拡大表示を容易に解除することができる。
【００４３】
また、単一のキー４８、５０、５４により入力することができる入力情報や機能情報が複数存在する場合には、キー４８、５０、５４が押下されることにより最初にディスプレイ４２に表示される入力情報又は機能情報が拡大表示される。これにより、例えば、「あ行」の文字情報を入力することができるキー４８、５０、５４の場合には、「あ」をディスプレイ４２に拡大表示させることができ、そのキー４８、５０、５４によりどの文字を入力することができるかをユーザに容易に認識させることができる。
【００４４】
さらに、機能キー５４に接触することにより、その機能情報を示す所定のマークをディスプレイ４２に拡大表示させることにより、ユーザが拡大表示されたマークを視認することにより、その機能キー５４を押下することによって利用できる機能を容易に認識することができる。
【００４５】
尚、本実施例では、テンキー４８上に接触検知センサ５６を配置したが、テンキー４８だけでなく携帯電話装置１０の筐体上に接触検知センサを配置しても良い。又、筐体内部に静電容量を検出することにより、指がなぞらえたことを検出する検出装置を配置しても良い。
【符号の説明】
【００４６】
１０      携帯電話装置
３６      制御回路（制御部）
４２      ディスプレイ（表示部）
４４      入力部（入力ボタン）
５６      接触検知センサ
【図１】
2014206991.tif 000003
【図２】
2014206991.tif 000004
【図３】
2014206991.tif 000005
【図４】
2014206991.tif 000006
【図５】
2014206991.tif 000007
【図６】
2014206991.tif 000008